(57)【特許請求の範囲】
【請求項１】
所定の領域を撮像するカメラユニット、
前記カメラユニットを支持する円筒状の基台部、
前記基台部の周面に係合して着脱自在に装着されかつ前記カメラユニットを覆うドーム型のカバーユニット、
その一方端部の端面が第１の山形に選ばれ、その回動位置によって前記カバーユニットを固定しまたは非固定とするためのレバー、
前記基台部の内側における周縁部のある位置に設けられ、前記レバーを基台部の内部で回動自在に支持するための軸部、および
前記カバーユニットの内周面であって前記基台部に対向する位置に形成され、かつ前記レバーの一方端部に対向する面が第２の山形に選ばれ、レバーが固定位置のとき当該第２の山形がレバーの一方端部の第１の山形と当接することによりカバーユニットを基台部に固定する係合部を備え、
前記レバーの第１の山形と前記係合部の第２の山形は、一方が凸状で、他方が凹状に選ばれ、さらに
前記基台部の外側に設けられかつ前記軸部に連結されて、基台部の円筒状部分の外側から前記軸部と前記レバーを回動するための操作部、ならびに
前記基台部内における前記レバーの回動範囲のある位置に設けられ、レバーの他方端部が所定位置にあるか所定位置以外の位置にあるかを検出するための検出器を備えた、ドーム型カメラ。
【請求項２】
前記レバーは、所定位置にあるとき前記カバーユニットを固定し、所定位置以外の位置にあるときカバーユニットを非固定とし、
前記検出器は、前記レバーが所定位置にあるとき、前記カバーユニットが固定位置にあることを検出する、請求項１に記載のドーム型カメラ。
【請求項３】
前記カバーユニットは、前記基台部の近傍であって、その外周面の一部に、前記係合部が前記レバーの一方端部に対向する位置にあることを示すためのマークを形成した、請求項１に記載のドーム型カメラ。
【請求項４】
前記カバーユニットは、ドーム型の外側カバーと、外側カバーの内側に配置される内側カバーとを含んで構成され、
前記内側カバーは、その周縁部であって、前記レバーと対向する第１の面に凹凸状部が形成され、
前記係合部は、前記内側カバーに対向する第２の面が当該凹凸状部に嵌り合う形状に形成され、
前記レバーが固定位置にあるとき、前記内側カバーの第１の面の凹凸状部の一部と前記係合部の第２の面が嵌り合うことによって、前記内側カバーが円周方向に移動するのを制限することを特徴とする、請求項１に記載のドーム型カメラ。
【発明の詳細な説明】
【技術分野】
【０００１】
この発明は、ドーム型カメラに関し、特に天井または壁面等に取り付けられて監視領域の不審者の行動を監視するためのドーム型カメラに関する。
【背景技術】
【０００２】
ドーム型カメラは、カメラ本体の撮影方向を調節可能なようにシャーシ（または基台部）に支持された状態で、シャーシを天井や壁面等に取り付け、カメラ本体の撮影方向や画角を調整した後に、ドーム型カバーユニットを被せることにより、カメラ本体を保護するとともに、カメラ本体や撮影方向等を外部から分かり難くしている。ドーム型カメラは、ドーム型のカバーユニットとカメラユニットのシャーシとが嵌め合せ構造とされて、カバーユニットをシャーシに取り付けている。
このようなカバーユニットとシャーシとの嵌め合せ構造は、特許文献１に開示されているように、カメラユニットのシャーシ（基台部）に係合受け部を形成しておき、カバーユニットのカバー基材の内周面に形成された止め受け部をシャーシに嵌め合せかつ係合受け部に係合させて取り付けられる。
【０００３】
カバーユニットとシャーシとの嵌め合せによる取付構造のものは、カバーユニットが取り外されて、いたずらをされたり、画策行為が行われる場合もある。これを防止するために、特許文献２に開示されているように、カバーユニットとシャーシとの嵌め合せ後に、ネジでシャーシに固定的に取り付ける構造が提案されている。
【先行技術文献】
【特許文献】
【０００４】
【特許文献１】特許第４１８１４４８号公報
【特許文献２】特許第４１５２９８０号公報
【発明の概要】
【発明が解決しようとする課題】
【０００５】
特許文献１の技術は、ドーム型のカバーの取り外し等のいたずらをされたり、カメラの向きを変更されて撮影妨害等の画策行為が行われる場合もある。
特許文献２の技術は、設置時又は点検サービス時に、カバーユニットと基台部をネジ等で固定するのを忘れると、固定忘れの状態に気づかずに放置されて、カバーユニットまたはその一部が取り外し等のいたずらをされたり、撮影妨害等の画策行為を行われる場合もある。
【０００６】
この発明の主たる目的は、カバーユニットと基台部をネジ等で固定するのを忘れていることを、簡単に知ることができ、固定忘れを解消するのに役立てることのできる、ドーム型カメラを提供することである。
【０００７】
この発明の他の目的は、カバーユニットを基台部に確実に固定でき、カバーユニットまたはその一部が不所望に取り外されることを防止し得る、ドーム型カメラを提供することである。
【課題を解決するための手段】
【０００８】
第１の発明は、カメラユニットと、基台部と、カバーユニットと、レバーと、軸部と、係合部と、操作部と、検出器とを備えたドーム型カメラである。
カメラユニットは、所定の領域を撮像する。基台部は、円筒状であって、カメラユニットを支持する。カバーユニットは、基台部の周面に係合して着脱自在に装着されかつカメラユニットを覆うドーム型に構成される。レバーは、その一方端部の端面が第１の山形に選ばれ、その回動位置によってカバーユニットを固定しまたは非固定とする。軸部は、基台部の内側における周縁部のある位置に設けられ、レバーを基台部の内部で回動自在に支持する。係合部は、カバーユニットの内周面であって基台部に対向する位置に形成され、かつレバーの一方端部に対向する面が第２の山形に選ばれ、レバーが固定位置のとき当該第２の山形がレバーの一方端部の第１の山形と当接することによりカバーユニットを基台部に固定する。そして、レバーの第１の山形と係合部の第２の山形は、一方が凸状で、他方が凹状に選ばれる。
さらに、操作部は、基台部の外側に設けられかつ軸部に連結されて、基台部の円筒状部分の外側から軸部とレバーを回動する。検出器は、基台部内におけるレバーの回動範囲のある位置に設けられ、レバーの他方端部が所定位置にあるか所定位置以外の位置にあるかを検出する。
【０００９】
第１の発明によれば、カバーユニットを基台部にネジ等で固定するのを忘れていることを、簡単に知ることができ、固定忘れを解消するのに役立てることができる。また、カバーユニットを基台部に固定でき、カバーユニットが不所望に取り外されることを防止することができる。
【００１２】
第２の発明では、第１の発明において、レバーは所定位置にあるときカバーユニットを固定し、所定位置以外の位置にあるときカバーユニットを非固定とする。検出器は、レバーが所定位置にあるとき、カバーユニットが固定位置にあることを検出する。
【００１５】
第３の発明では、第１の発明において、カバーユニットは、その外周面の一部に、係合部がレバーの一方端部に対向する位置にあることを示すためのマークを形成している。
【００１６】
第４の発明では、第１の発明において、カバーユニットは、ドーム型の外側カバーと、外側カバーの内側に配置される内側カバーとを含んで構成される。
内側カバーは、周縁部の前記レバーと対向する第１の面に凹凸状部が形成される。係合部は、内側カバーに対向する第２の面が当該凹凸状部に嵌り合う形状に形成される。それによって、レバーが固定位置にあるとき、内側カバーの第１の面の凹凸状部の一部と係合部の第２の面が嵌り合うことによって、内側カバーが円周方向に移動するのを制限している。
【発明の効果】
【００１７】
この発明によれば、カバーユニットと基台部をネジ等で固定するのを忘れていることを、簡単に知ることができ、固定忘れを解消するのに役立てることができる、ドーム型カメラが得られる。
また、カバーユニットを基台部に固定でき、カバーユニットまたはその一部が不所望に取り外されることを防止することができる。
【図面の簡単な説明】
【００１８】
【図１】この発明の一実施例のドーム型カメラの外観斜視図である。
【図２】カバーユニットを外した状態を示すドーム型カメラの斜視図である。
【図３】この発明の一実施例のドーム型カメラの分解図である。
【図４】カバーユニットを取り付けた状態のドーム型カメラの側面図である。
【図５】固定位置検出機構の拡大斜視図である。
【図６】非固定状態における内部から見たレバーと検出器の拡大図である。
【図７】固定状態における内部から見たレバーと検出器の拡大図である。
【図８】この発明の他の実施例の固定状態における内側カバーとレバーと係合部との関係を示す側面図である。
【発明を実施するための形態】
【００１９】
（実施例１）
（ドーム型カメラの構成）
図１はこの発明の一実施例のドーム型カメラの外観斜視図、図２はカバーユニットを外した状態のドーム型カメラの斜視図、図３はドーム型カメラの分解図、図４はカバーユニットを取り付けた状態のドーム型カメラの側面図である。
次に、図１ないし図４を参照して、本願発明の一実施例のドーム型カメラ１０の構成を説明する。
【００２０】
ドーム型カメラ１０は、監視領域を撮影するためのカメラユニット１１と、カメラユニット１１を支持するための基台部１２と、基台部１２に装着されてカメラユニット１１を保護するためのドーム型のカバーユニット１３とから構成される。
ここで、図１〜図４では、内部構造が見えるように、ドーム型カメラ１０を上向きに図示している。
しかし、下方の監視領域を監視する場合は、基台部１２が天井に取り付けられるので、使用に際してはカバーユニット１３が下向き（すなわち、上下が逆向き）となるように設置される。
また、基台部１２が壁面に取り付けられる場合は、横向きに設置される。
【００２１】
カメラユニット１１は、図２，図３に示すように、レンズ１１１とズーム機構１１２とを含む。レンズ１１１は、ズーム機構１１２によって可動するように支持され、ズーム倍率を調節できる。
ズーム機構１１２は、その傾きを調節することによって、チルト方向（又は撮影方向）の角度を調節可能なように、支持台１１４によって支持される。支持台１１４は、左右の直立部１１５の下方にリング状部１１６を形成し、直立部１１５の上方にズーム機構１１２を取り付ける取付部１１７を一体的に形成して成る。
なお、カメラユニット１１は、ズーム機構のないレンズを用いてもよいことは勿論である。
【００２２】
支持台１１４の左右には、レンズ１１１のチルト方向を調節する調節つまみ１１８が装着される。支持台１１４の左右何れか一方の直立部１１５には、調節つまみ１１８を操作してチルト方向を調節した後に、ネジ締めによって固定するための固定用ネジ１１９が設けられる。
【００２３】
基台部１２は、円筒状または筒状の形状をした下ケース１２１と、下ケース１２１の上部に嵌め込まれる取付用ケース１２２とから成る。取付用ケース１２２は、円板状部１２３の周囲にベゼル取付部１２４が形成される。
ベゼル取付部１２４は、下ケース１２１に対して厚み方向に段差を有するような形状に選ばれる。ベゼル取付部１２４の外周面には、複数個所（例えば３か所）に、Ｌ字状の取付溝１２５が形成される。
取付溝１２５は、Ｌ字状の短辺が縦方向、長辺が横方向となり、ベゼル１３３に形成される後述の突起部１３６を短辺部分から入れて長辺方向へ回動させることにより、カバーユニット１３が脱落しないように保持するものである。また、ベゼル取付部１２４の周面には、固定位置となる部分に、孔１２６（図５参照）が形成される。
【００２４】
また、取付用ケース１２２の上面の円板状部１２３には、その中央部分に、リング状のガイド溝１２７が形成される。ガイド溝１２７は、支持台１１４のリング状部１１６を載せて、カメラユニット１１を円周方向へ摺動させかつ回転できるように支持する。
ガイド溝１２７の周囲には、リング状部１１６が外れるのを防止するために、複数のネジ付ガイド１２８がネジ止めされる。カメラユニット１１を所望の回転位置に調節した後に、ネジ付ガイド１２８のうちの１つを強く締め付けることによって、カメラユニット１１が円周方向へ摺動しないように、固定される。
さらに、ベゼル取付部１２４には、カバーユニット１３を取り付ける際に、後述のマーク１３７を位置合わせすると、突起部１３６が取付溝１２５に嵌る位置であることを示すために、取付位置マーク１２９が付される。
【００２５】
図３に分解態様で示すように、カバーユニット１３は、カメラユニット１１を保護するためのドーム型の外側カバー１３１と、内側カバー１３２と、ベゼル１３３とを含む。
外側カバー１３１は、カメラユニット１１を保護するためのもので、例えば透明なプラスチック等の透明材料からなり、ドーム型（または半球状）の形状をしている。外側カバー１３１の下方部（すなわち開放端）の周縁部には、フランジ１３４が形成される。外側カバー１３１の周縁部の直径はベゼル１３３の内径と略同径かやや小さく、フランジ１３４の直径はベゼル１３３の内径より大きくかつ外径より小さく選ばれる。これによって、外側カバー１３１がベゼル１３３によって保持可能とされる。
【００２６】
内側カバー１３２は、例えば不透明または半透明のプラスチック等の材料からなり、カメラユニット１１を外部から視認し難くするためのものである。内側カバー１３２には、ドーム型（または半球状）の形状の一部に楕円形等の窓１３５が形成される。この窓１３５は、レンズ１１１の向きを調節可能な範囲となるように、その形状および大きさが選ばれる。
これによって、内側カバー１３２の窓１３５を通して、カメラユニット１１が監視領域を撮影可能にしている。
なお、内側カバー１３２を省略して、外側カバー１３１だけで構成しても構わない。
【００２７】
ベゼル１３３は、外側カバー１３１の内部に内側カバー１３２を配置した状態で、基台部１２のベゼル取付部１２４に対して内側カバー１３２および外側カバー１３１を基台部１２に装着するものである。ベゼル１３３は、その平面形状がリング状（または縁状）であって、側面形状が傾斜面を有するように形成される。ベゼル１３３の内周面には、取付溝１２５と係合するための突起部１３６が複数個所（例えば３か所）に形成される。
ベゼル１３３（またはカバーユニット１３）の外周面の一部には、後述の係合部１７がレバー１４に対向する位置にあることを示すために、マーク１３７が付される。マーク１３７は、ベゼル１３３の外周面に刻印または切欠きによって形成するか、塗料を塗ったり、印刷したシールを張り付ける等によって付してもよい。
なお、実施例では、外側カバー１３１とベゼル１３３を分離可能に構成した場合を示すが、両者を一体的に構成してもよいことは勿論である。
【００２８】
（固定位置の検出機構の詳細な構成）
図５は固定位置検出機構（レバーと検出器）の拡大斜視図、図６は非固定状態における内部から見たレバーと検出器の拡大図、図７は固定状態における内部から見たレバーと検出器の拡大図である。
次に、図５〜図７を参照して、この実施例の特徴となる固定位置を検出するための構成を説明する。
【００２９】
取付用ケース１２２の内周面のある位置には、レバー１４が回動自在に装着される。レバー１４は、軸部１５に一体的に固定される。
より具体的には、レバー１４は、その一方端部１４１が山形または円弧状に形成され、その他方端部１４２が円弧状に形成され、軸部１５に固定される部分に半円形の貫通孔が形成される。また、レバー１４の下方位置の円板状部１２３には、レバー１４が回動したときに、その他方端部１４２が後述のフォトインタラプタ１６の位置へ回動可能なように、開口部１２３ａが形成される。
【００３０】
軸部１５は、長手方向の一方側が円柱状に形成されて、取付用ケース１２２とスペーサ１５１によって回動可能に支持される。また、軸部１５の長手方向の他方側は、レバー１４に嵌合し得るように、半円形の断面形状で、その周面にネジが形成される。
そして、軸部１５は、他方側の半円部分１５２がレバー１４の貫通孔に嵌合された状態で、軸部１５の一方側の円柱状部分がスペーサ１５１を介して取付用ケース１２２に回動自在に支持される。軸部１５の一方側端部（すなわち基台部１２の外部から見える端面）には、ネジ回し（ドライバ）で回動操作し得るように、十字または−（マイナス）の形をした操作穴１５３が形成される。
【００３１】
操作穴１５３は、操作部の一例であって、これに代えて操作つまみを用いてもよいが、不審者が汎用ネジ回しで操作できないように特殊形状の穴を形成しても良い。
また、図６および図７では図示を省略しているが、図５に示すように、軸部１５の他方側のネジ部分には、レバー１４を嵌合させた後に、六角ナット１５４が螺合される。これによって、レバー１４が外れるのを防止している。
【００３２】
レバー１４の下方の取付用ケース１２２には、検出器の一例のフォトインタラプタ１６が装着される。フォトインタラプタ１６は、発光部と受光部を含み、他方端部１４２が発光部からの光を遮断したとき、受光部が光を受光しないことに応答して、レバー１４が所定の位置にあることを検出する。換言すると、フォトインタラプタ１６は、レバー１４が所定の位置にあることを検出したとき、レバー１４が固定位置に回動されていることを検出するものである。
【００３３】
なお、検出器は、フォトインタラプタ１６に代えて、金属を検知する磁気センサ、リードセンサ等を用いても良いことは勿論である。
また、フォトインタラプタ１６の検出出力は、離れた場所の監視室へ送られて、適切な固定状態か非固定状態かを報知するのに利用される。さらに、フォトインタラプタ１６の検出出力は、インターネット回線等を介して遠隔地の集中監視センターに送信するように構成しても良い。
【００３４】
より好ましくは、ベゼル１３３の内周面であって、ベゼル１３３を固定位置としたときに孔１２６に対応する上部位置には、係合部１７が装着される。係合部１７は、レバー１４の一方端部１４１の山形または円弧状に対応する凹部（または凸部）１７１を有する。
係合部１７は、非固定状態のときに図６に示す状態にあるが、レバー１４の回動する際には一方端部１４１によって押し上げられて、その長手方向のくびれた部分が弾性変形して上方向へ持ち上げられる。そして、係合部１７は、凹部１７１とレバー１４の一方端部１４１とが係合し、固定状態となる。
【００３５】
次に、図１〜図７を参照して、ドーム型カメラ１０を監視領域の上部に取り付ける場合を説明する。
作業者は、組み立てられたドーム型カメラ１０のベゼル１３３を外す方向へ回転させて、基台部１２とカバーユニット１３を分離する。また、作業者は、基台部１２を監視領域の適当な位置の天井（または壁面）に、カメラユニット１１が下向きとなるように、木ネジ等で取り付ける。基台部１２の取付後、作業者は、支持台１１４を円周方向へ摺動して回動させて、カメラユニット１１の向きを調節し、ネジ付ガイド１２８を締め付けて固定する。また、調節つまみ１１８を操作してレンズ１１１のチルト方向を所望の方向に調節した後、固定用ネジ１１９を強く締め付けてチルト方向を固定する。
【００３６】
その後、作業者は、ベゼル１３３の傾斜部を下にして、外側カバー１３１をベゼル１３３の中へ入れ、外側カバー１３１の内側に内側カバー１３２を入れた状態で、カメラユニット１１が内側カバー１３２の窓１３５から監視領域を適切に撮影できるように、窓１３５の位置を調節する。そして、作業者は、マーク１３７が取付位置マーク１２９に一致するようにベゼル１３３を位置合わせした後、ベゼル１３３の複数の突起部１３６が取付溝１２５に嵌り込むように、取付用ケース１２２にベゼル１３３を押し込み、固定位置となるまでベゼル１３３を回動させる。
このとき、図４に示すように、マーク１３７が軸部１５に対応する位置となり、固定位置までベゼル１３３を回動していることを視認できる。さらに、作業者は、ネジ回しを用いて軸部１５を回して、レバー１４が所定位置（または固定位置）となるように、固定する。
【００３７】
この場合、係合部１７の凹部１７１とレバー１４の一方端部１４１とが係合して、固定状態となり、ベゼル１３３，外側カバー１３１が基台部１２に固定的に保持される。このように、作業者が適切にカバーユニット１３を基台部１２に取り付けて、レバー１４によって固定位置に保持した場合は、フォトインタラプタ１６がレバー１４の他方端部１４２を検出するので、遠隔場所には正常に取り付けられたことが伝えられる。
【００３８】
一方、作業員がベゼル１３３を所定位置まで回さなかったり、軸部１５を回動させて、レバー１４が所定位置となるように適切に固定することを忘れた場合は、フォトインタラプタ１６がレバー１４の他方端部１４２を検出できず、非固定状態であることを検出する。
この検出出力が遠隔場所または遠隔地の監視室へ送信されるので、監視室にいる担当者は作業者の取付工事の完了後も非固定状態であることを知り、作業者に異常を伝える。これに応じて、作業者が軸部１５を回動してレバー１４を適切な固定位置に回動させることにより、固定忘れを確実に防止できる。
（実施例２）
【００３９】
上述の実施例１では、レバー１４の一方端部１４１の山形または波型の凸部と係合部１７の凹部１７１とが係合して、ベゼル１３３を固定している。
一方、外側カバー１３１と内側カバー１３２は、相互に係合して一体化しているが、ベゼル１３３によって受け止められただけの状態（すなわち固定されていない状態）なので、ベゼル１３３に対しては円周方向へ移動可能である。内側カバー１３２が移動すると、カメラユニット１１が撮影する監視領域の一部または全部を内側カバー１３２によって遮られ、適切に監視できなくなる場合もある。
そこで、外側カバー１３１及び内側カバー１３２を所定位置で固定する例として、実施例２（図８）を説明する。
【００４０】
図８はこの発明の他の実施例であって、内側カバーを固定する場合の内側カバーとレバーと係合部との関係を示す側面図である。
図８の実施例では、内側カバー１３２の周縁部分（図示の下側の面）には、波型または山型等の凹凸状部１３８が形成される。ベゼル１３３に一体的に形成される係合部１７の上面には、係止部１７２が形成される。係止部１７２は、内側カバー１３２の周縁部分に形成された凹凸状部１３８に嵌り合うことによって、内側カバー１３２を係止（又は固定）する。内側カバー１３２の固定に伴い、外側カバー１３１もベゼル１３３に固定された状態となる。
ここで、係止部１７２の形状は、図示では２つの山型を有する凹凸部の場合を示すが、凹凸状部１３８に嵌り合う形状であれば、１つの凸部または凹部でもよい。
その他の構成は、実施例１と同様であるため、実施例１の構成と同一部分に同一参照符号を示し、その説明を省略する。
【００４１】
図８の実施例によれば、レバー１４を固定位置に回動したとき、レバー１４の一方端部１４１と係合部１７の下面の凹部とが係合して、カバーユニット１３を基台部１２に固定した状態に保持するとともに、係合部１７の上面の係止部１７２と内側カバー１３２の凹凸状部１３８とが嵌り合って内側カバー１３２の移動を制限している。
そのため、軸部１５を回動してカバーユニット１３を固定し忘れることによる弊害を防止できることに加えて、内側カバー１３２の移動も制限でき、カメラユニット１１による正常な監視を実現できる利点がある。
また、内側カバー１３２の移動制限と伴に、外側カバー１３１も移動を制限できる利点がある。
【産業上の利用可能性】
【００４２】
この発明のドーム型カメラは、カバーユニットと基台部をネジ等で固定するのを忘れていることを、簡単に知ることができ、固定忘れを改善するのに役立つので、不審者による画策行為を防止できるドーム型カメラとして産業上の利用意義が大きい。
【符号の説明】
【００４３】
１０    ドーム型カメラ
１１    カメラユニット
１２    基台部
１３    カバーユニット
１３１  外側カバー
１３２  内側カバー
１３３  ベゼル
１３７  マーク
１４    レバー
１５    軸部
１５３  操作穴（操作部）
１６    フォトインタラプタ（検出器）
１７    係合部
【図１】
0005896824.tif 000002
【図２】
0005896824.tif 000003
【図３】
0005896824.tif 000004
【図４】
0005896824.tif 000005
【図５】
0005896824.tif 000006
【図６】
0005896824.tif 000007
【図７】
0005896824.tif 000008
【図８】
0005896824.tif 000009